(57)【要約】【課題】  従来の芯なしトイレットペーパは、その使用し終るところでっ引っ張ると、支持棒のまわりの水分で固まった部分が残るので、そのようなことのないようにすること。【解決手段】  芯なしトイレットペーパＡの中心部に形成する筒状の空洞を、ペーパの巻始め端部Ａ′を折り返した状態で巻取った部分で構成し、その部分に水分を付与して固め、その後は普通に巻取られて形成した芯なしトイレットペーパ。【選択図】  図１０
2005160722.tif 000002
【特許請求の範囲】
【請求項１】
芯なしトイレットペーパの中心部に形成する筒状の空洞を、ペーパの巻始め端部を折り返した状態で巻取った部分で構成し、その部分に水分を付与して固め、その後は普通に巻取られて形成した芯なしトイレットペーパ。
【請求項２】
トイレットペーパを回転ロール上に導き、該ペーパの端部を巻取り軸上で一部折り返し、次いでその折り返し部とそれと接する後続のペーパとを一緒に巻取り軸上に巻きつけ、その部分に水分を付与して固めた後、所望の長さ分を巻取り軸に巻取った後切断し、その切断端部を糊付けしたあとで巻取り軸を抜き取った芯なしトイレットペーパの製造方法。
【請求項３】
第１回転ロールと第２回転ロールの間にトイレットペーパの巻取り軸を配し、その巻取り軸に接離自在の押えロールを設け、さらにトイレットペーパの折り返し手段と、巻取り軸に巻取り始めのトイレットペーパに水分を付与する水分付与手段を備え、さらに巻取り軸に巻取ったトイレットペーパの切断手段と糊付け手段を具備した芯なしトイレットペーパの製造装置。
【請求項４】
トイレットペーパの折り返し手段として、トイレットペーパに向かったエアノズルと、その反対側にトイレットペーパ吸引ボックスを備えた請求項３に記載の芯なしトイレットペーパの製造装置。
【発明の詳細な説明】
【技術分野】
【０００１】
本発明は、日常使用するトイレットペーパのうちの、紙芯を使用しない芯なしトイレットペーパに関し、更にはその芯なしトイレットペーパを製造する方法とその方法を実施する装置に関する。
【背景技術】
【０００２】
一般のトイレットペーパは、その中心部は大きい空洞になっており、その空洞は厚紙からなる中空筒状体により形成されている。
【０００３】
つまり、かゝる一般のトイレットペーパは厚紙からなる中空筒状体をその芯に有するところから俗に芯有りトイレットペーパとも称されている。
【０００４】
以上のように、普通のトイレットペーパには上記のとおり、厚紙からなる可成り大きい直径の空洞が形成されているので、使用後はその厚紙の筒状体を一々処分する必要があり、取扱い上、運搬上および資源の活用上問題であり、かつその分高価となる欠点を有している。特に使用後には、厚紙の芯が残るので、わざわざそれを一々処分する不便が生じるという欠点を有する。
【０００５】
そこでかゝる普通のトイレットペーパ、つまり芯ありトイレットペーパで厚紙の芯を使用することによる上記の欠点をなくすために、その厚紙の芯を用いない、つまり芯のないトイレットペーパ、つまり芯なしトイレットペーパが出現した。（例えば特許文献１参照）
【特許文献１】特許第３２９７１７１号公報
【０００６】
この芯なしトイレットペーパの中心部の空洞の直径を小さくし、中心部の小さい直径の空洞部のまわりの部分がペーパの巻き始めの部分に相当し、ペーパを巻始める時にその数層に水分を霧状に付着させることにより空洞部に面する数層は互いに接着し、その接着により空洞部に面する数層は固まり、普通のトイレットペーパの厚紙の芯の役目を果たすのである。
【０００７】
したがって、芯なしトイレットペーパでもそれを使用したあとには、中心の空洞部のまわりの数層にわたって水分で固まった状態の筒状部が残ることになり、その固まった筒状部分を別途処分しなければならないという不便がある。
【発明の開示】
【発明が解決しようとする課題】
【０００８】
本発明が解決しようとする課題は、図１１に示すように、従来の芯なしトイレットペーパの中心空洞部には、トイレで使用中には支持棒１５を挿入して芯なしトイレットペーパの回転中心体として使用するが、そのペーパを使用し終わるところで、その支持棒１５のまわりのペーパの数層１６が水分で固まっているので、例えば図１１の状態（芯なしトイレットペーパＡの使用終わりの状態）で最後にＲの部分を指で引っ張ると、Ｚで示すように途中でペーパＡが破断してしまい、支持棒１５のまわりに最後の固まった筒状部が残ってしまい、その残りの部分を一々引き出して別途処分しなければならないという欠点があったので、その欠点を解消するにある。
【課題を解決するための手段】
【０００９】
本発明の芯なしトイレットペーパは、芯なしトイレットペーパの中心部に形成する筒状の空洞を、ペーパの巻始め端部を折り返した状態で数回巻取った部分で構成し、その部分に水分を付与して固めて構成し、その後は普通に巻取られてなる芯なしトイレットペーパからなる。そしてその芯なしトイレットペーパは次の製造方法により得られる。即ち、トイレットペーパをまず回転ロール上に導き、該ペーパの端部を巻取り軸上で一部折り返し、次いでその折り返し部とそれと接する後続のペーパとを一緒に巻取り軸上に巻きつけ、最初の数層に水分を付与して固めた後、所望の長さ分を巻取り軸に巻取った後切断し、その切断端部を糊付けしたあとで巻取り軸を抜き取って芯なしトイレットペーパを製造する。
【００１０】
さらに、かゝる方法を実施する装置は、第１回転ロールと第２回転ロールの間にトイレットペーパの巻取り軸を配し、その巻取り軸に接離自在の押えロールを設け、さらにトイレットペーパの折り返しのための手段と、巻取り軸に巻取り始めのトイレットペーパに水分を付与する水分付与手段を備え、巻取り軸に巻取ったトイレットペーパを切断して糊付けする芯なしトイレットペーパの製造装置からなる。また、かゝる装置において用いるトイレットペーパの折り返し手段としてはトイレットペーパに向かったエアノズルを用い、その反対側にさらにトイレットペーパ吸引ボックスを用いた装置からなる。
【発明の効果】
【００１１】
１．本発明の芯なしトイレットペーパは、その使用の最後に残った水分で固まった筒状部分は、残りのペーパを指で引張るだけできれいに最後のペーパと一緒に除去できるので、一々その固まった筒状部分を別途除去するという不便がない。
【００１２】
２．本発明の芯なしトイレットペーパの製造方法においては、ペーパを巻取り軸に巻始めるときに、単に巻き始め部分を一部巻き戻した後、残りのペーパを巻取り軸に巻き取りさえすれば、使用の最後に芯なしトイレットペーパの残り全部をきれいに完全に、かつ簡単に除去することができる。
【００１３】
３．本発明の装置は、芯なしトイレットペーパの巻き始めに一旦巻き戻すのに、エアノズルとペーパ吸引ボックスを使用するだけで行うことができるので、装置が簡単、安価に作ることができる。
【発明を実施するための最良の形態】
【００１４】
本発明の芯なしトイレットペーパを製造する方法と、その方法を実施する装置は次のとおりである。
【００１５】
図１は、まず広巾のトイレットペーパＡ（以下単にペーパＡいう）を第１回転ロール１上に矢印方向から供給し、次いでペーパＡを巻取り軸４の下側を通して第２回転ロール２上に導かれる。
【００１６】
その状態で図２に示すように、ペーパＡの先端面の前方下側からペーパ折り返し用のエアノズル８で空気を噴射すると、ペーパＡは巻取り軸４のまわりを上方に折り返される。この折り返された部分をＡ′で示す。次いで図３に示すごとく、ペーパ吸引ボックス１０内を真空にしてペーパＡ′を吸引させることによりペーパＡ′はペーパ吸引ボックス１０内に吸引される。
【００１７】
ペーパ吸引ボックス１０内に吸引されたペーパＡ′の長さは巻取り軸４の外周の１周分以上の長さになるまで適宜吸引したところで吸引を止める。そしてその状態で図４に示すように、押えロール３を下降させて、巻取り軸４を第１と第２の回転ロール１、２と一緒に押えロール３により押える。そしてその状態で、ペーパ押えシリンダ９を下降させ、その先端に取付けたペーパ押え板１２を一緒に下降させて、図９に示すようにペーパＡ′の折返し部分Ｘの面を上方から巻取り軸側に押し込み、第１回転ロール１と巻取り軸４とが交接するＸ線内にペーパＡ′を入り込ませる。
【００１８】
次いで図５に示すように、ペーパ押え板１２をペーパ押えシリンダ９と一緒に上昇させる。そして第１、第２回転ロール１、２および押えロール３を図５に示す矢印のごとく回転を本格的に始めると共に、ペーパの折り返し部分に霧吹きガン７により水分を噴霧させる。この噴霧により図９の巻き始め部分に相当するペーパＡ′部分のうちの巻取り軸４側に近い部分が捲かれた状態で水分により接着して固められる。
【００１９】
したがってペーパＡ，Ａ′が巻取り軸４に巻取られた初期の部分は、一般に数層分が固められ、その固められた中空部分が普通のトイレットペーパにおける厚紙の中空円筒状の芯の役目を果たすわけである。
【００２０】
本発明では、この固くなった中心部の円筒状の数層を、以下内側固化層と称する。この内側固化層が形成されると、霧吹きを止めて図６の状態で巻取り軸４上に所定厚さになるまでペーパＡを巻取る。そして図７に示すごとく、巻取り軸４へのペーパの巻取りが完了すると、図８のように、押えロール３を上昇させることにより巻き終わったペーパロールＰが斜め下方に転落して排出シリンダ１１上に定置される。そこでペーパＡの終端をカッター５により切断し、同時にペーパＡの切断端を糊付けのめたに糊付ガン６により糊を噴射させてペーパＡの終端を付着させて出来上がる。
【００２１】
かくして最後はペーパロールＰを、ペーパロール排出シリンダ１１を上昇させることにより矢印方向に排出し、最後にはペーパロールＰの中心部から巻取り軸を抜き取るのである。
【００２２】
以上の方法および装置により本発明の芯なしトイレットペーパが完成するが、本発明の芯なしトイレットペーパの特徴である巻取り軸への巻き始め部分についてここでさらに図９、図１０により説明する。
【００２３】
図９は工場に於いて、巻取り軸４にペーパＡの巻き始め側のペーパＡ′を折り返した状態を示しており、この状態から巻取り軸４が矢印Ｂ方向に回転して本格的に付き取るところを示した図であり、図１０はトイレの中で、使用者が芯なしトイレットペーパＡを使用して最後に残った状態を示しており、１７は芯なしトイレットペーパの中心空洞部内に挿入されている支持棒であって、その支持棒１７のまわりには、ペーパＡ，Ａ′が何回か捲かれた状態で水分が付与されてることにより支持棒１７のまわりの数層は固まった状態、つまり内側固化層が形成されている。もしこの図１０で、折り返し部のＡ′がなければ、最後は一枚だけからなるペーパＡのうちのＤの部分を指でつかんで矢印方向に引張ることになり、当然に一枚だけからなるから弱く、破断線Ｔのところで破けて、残りの内側固化層は全部支持棒１７のまわりに残ってしまうことになる。
【００２４】
ところが、本発明は、図１０に示すように折返し部のペーパＡ′があるから、Ｓの部分は下側のペーパＡと上側のペーパＡ′の２枚から成っていることになるから、その２枚になっているＳの部分を矢印のごとく引張ると、今度は２枚を一緒に引っ張ることになり、引張り強度が１枚のときの２倍となるので、支持棒１７のまわりの裏側の破断線Ｙで破けて、支持棒１７のまわりの固まった筒状体、即ち内側固化層はペーパＡ，Ａ′と一緒に引きちぎられ、支持棒１７上にはペーパは何も残らない。かくして本発明の目的を達成することが可能となるのである。
【図面の簡単な説明】
【００２５】
【図１】本発明におけるペーパの巻き始め時の、装置の概念側面図である。
【図２】本発明におけるペーパの折り返し時の、装置の概念側面図である。
【図３】本発明におけるペーパの折り返しを終了した状態の、装置の概念側面図である。
【図４】本発明におけるペーパの折り返し後ペーパ押え板を下降させた状態の、装置の概念側面図である。
【図５】本発明におけるペーパの巻き始めに水分を噴霧させたところを示す装置の概念側面図である。
【図６】本発明におけるペーパの巻取りを本格的に始めた状態を示す装置の概念側面図である。
【図７】本発明におけるペーパの巻取りが終了した状態を示す、装置の概念側面図である。
【図８】本発明におけるペーパの巻取りが終了してペーパロールを排出シリンダ上に移動させた状態を示す、装置の概念側面図である。
【図９】本発明におけるペーパの巻始め時に巻取り軸上にペーパを折り返した状態を示すペーパの斜視図である。
【図１０】本発明におけるペーパを使用者が使用し、最後にペーパが残った状態を示す斜視図である。
【図１１】従来の芯なしトイレットペーパを使用者が使用して最後に残った状態を示すペーパの斜視図である。
【符号の説明】
【００２６】
Ａ    トイレットペーパ
１    第１回転ロール
２    第２回転ロール
３    押えロール
４    巻取り軸
５    切断手段
６    糊付け手段
８    エアノズル
１０    ペーパ吸引ボックス
【図１】
2005160722.tif 000003
【図２】
2005160722.tif 000004
【図３】
2005160722.tif 000005
【図４】
2005160722.tif 000006
【図５】
2005160722.tif 000007
【図６】
2005160722.tif 000008
【図７】
2005160722.tif 000009
【図８】
2005160722.tif 000010
【図９】
2005160722.tif 000011
【図１０】
2005160722.tif 000012
【図１１】
2005160722.tif 000013